(57)【要約】【課題】電圧供給が停止した場合にも照明を維持することができる照明器具を提供する。【解決手段】本発明の照明器具は、商用電源からの電圧供給を受けて点灯する蛍光ランプ１と、商用電源から供給された電圧による充放電を行う充電素子５Ａと、商用電源からの電圧供給を受けている場合には、充電素子５Ａを充電させ、商用電源からの電圧供給が停止されている場合には、充電素子５Ａを放電させるよう充電素子５Ａの接続を切り替える充放電切替部６と、商用電源からの電圧供給が停止されている場合に、充電素子５Ａの放電による電圧供給を受けて点灯するＬＥＤ８とを有する。【選択図】図１
2006139988.tif 000002
【特許請求の範囲】
【請求項１】
商用電源からの電圧供給を受けて点灯する蛍光ランプと、
商用電源から供給された電圧による充放電を行う充電素子と、
商用電源からの電圧供給を受けている場合には、前記充電素子を充電させ、商用電源からの電圧供給が停止されている場合には、前記充電素子を放電させるよう前記充電素子の接続を切り替える充放電切替部と、
商用電源からの電圧供給が停止されている場合に、前記充電素子の放電による電圧供給を受けて点灯するＬＥＤとを有することを特徴とする照明器具。
【請求項２】
前記充放電切替部は、
商用電源からの電圧供給を受けて起電力が誘導されるコイルと、
前記コイルに起電力が誘導されている場合には、前記充電素子を商用電源側に接続することで該充電素子を充電させ、前記コイルに起電力が誘導されていない場合には、前記充電素子を前記ＬＥＤ側に接続することで該充電素子を放電させるスイッチング素子とを有する、請求項１に記載の照明器具。
【請求項３】
商用電源からの電圧供給を受けている場合に、前記蛍光ランプを点灯させる制御を行うインバータ回路をさらに有する、請求項１または２に記載の照明器具。
【請求項４】
前記充電素子は、コンデンサまたはリチウムイオン２次電池である、請求項１から３のいずれか１項に記載の照明器具。
【請求項５】
前記照明器具は、前記蛍光ランプの内側に、前記ＬＥＤ、前記充電素子、および前記充放電切替部が内蔵された電球形蛍光ランプの形状を有する、請求項１から４のいずれか１項に記載の照明器具。
【請求項６】
前記照明器具は、口金部分に、前記ＬＥＤ、前記充電素子、前記充放電切替部が内蔵された丸型蛍光ランプの形状を有する、請求項１から４のいずれか１項に記載の照明器具。
【発明の詳細な説明】
【技術分野】
【０００１】
本発明は、照明器具に関する。
【背景技術】
【０００２】
近年、ＬＥＤの高効率化・長寿命化が進展し、それに伴い、ＬＥＤを光源として用いる照明器具が一部で開示されている（例えば、特許文献１参照）。
【特許文献１】特開２００３−１５１３０６号公報
【発明の開示】
【発明が解決しようとする課題】
【０００３】
ところで、上述した従来技術においては、災害発生時など電圧供給が停止することについては何ら想定していない。そのため、電圧供給が停止した場合に、ＬＥＤによる照明を維持することはできないと考えられる。しかしながら、電圧供給が停止した場合に照明を維持することができる機能は、２次災害防止に寄与することにもつながるため、該機能を照明器具に設けることは今後の重要な課題となる。
【０００４】
そこで、本発明の目的は、電圧供給が停止した場合にも、照明を維持することができる照明器具を提供することにある。
【課題を解決するための手段】
【０００５】
上記目的を達成するために本発明の照明器具は、商用電源からの電圧供給を受けて点灯する蛍光ランプと、商用電源から供給された電圧による充放電を行う充電素子と、商用電源からの電圧供給を受けている場合には、前記充電素子を充電させ、商用電源からの電圧供給が停止されている場合には、前記充電素子を放電させるよう前記充電素子の接続を切り替える充放電切替部と、商用電源からの電圧供給が停止されている場合に、前記充電素子の放電による電圧供給を受けて点灯するＬＥＤとを有することを特徴とする。
【０００６】
このように、商用電源からの電圧供給を受けている場合には、充電素子が自動的に充電され、商用電源からの電圧供給が停止されている場合には、充電素子に充電された電気量を使用してＬＥＤを点灯させているため、電圧供給が停止した場合にも、ＬＥＤを非常灯または常夜灯として照明を維持することができる。
【０００７】
なお、前記充放電切替部は、商用電源からの電圧供給を受けて起電力が誘導されるコイルと、前記コイルに起電力が誘導されている場合には、前記充電素子を商用電源側に接続することで該充電素子を充電させ、前記コイルに起電力が誘導されていない場合には、前記充電素子を前記ＬＥＤ側に接続することで該充電素子を放電させるスイッチング素子とを有することとしても良い。
【０００８】
また、商用電源からの電圧供給を受けている場合に、前記蛍光ランプを点灯させる制御を行うインバータ回路をさらに有することとしても良い。
【０００９】
また、前記充電素子は、コンデンサまたはリチウムイオン２次電池としても良い。
【００１０】
また、前記照明器具は、前記蛍光ランプの内側に、前記ＬＥＤ、前記充電素子、および前記充放電切替部が内蔵された電球形蛍光ランプの形状を有することとしても良く、または、口金部分に、前記ＬＥＤ、前記充電素子、前記充放電切替部が内蔵された丸型蛍光ランプの形状を有することとしても良い。
【００１１】
このように、ＬＥＤを使用する場合、近年、ＬＥＤ用の充電素子が小型化されているため、蛍光ランプの内側や口金部分に充電素子を内蔵することが可能となり、それにより、照明器具を変更することなく、ＬＥＤを非常灯または常夜灯として用いることができる。また、電球形蛍光ランプや丸型蛍光ランプの形状など、従来の照明器具と互換性のある形状とすることもできる。
【発明の効果】
【００１２】
本発明によれば、商用電源からの電圧供給を受けている場合には、充電素子が自動的に充電され、商用電源からの電圧供給が停止されている場合には、充電素子に充電された電気量を使用してＬＥＤを点灯させる構成であるため、電圧供給が停止した場合にも、ＬＥＤを非常灯または常夜灯として照明を維持することができるという効果を奏する。
【発明を実施するための最良の形態】
【００１３】
以下に、本発明を実施するための最良の形態について図面を参照して説明する。
【００１４】
図１は、本発明の一実施形態による照明器具の回路構成を示す図、図２は、本発明の一実施形態による照明器具の構造を示す図である。
【００１５】
図１を参照すると、本実施形態による照明器具は、蛍光ランプ１と、インバータ回路２と、降圧整流回路３と、定電圧制御回路４と、充電素子５Ａを備えた充電部５と、充放電切替部６と、抵抗７と、ＬＥＤ８とから構成されており、蛍光ランプ１を４０〜５０ｋＨｚの高周波電圧で点灯させるインバータ点灯方式の照明器具である。
【００１６】
蛍光ランプ１は、商用電源からの電圧供給を受けて点灯するランプである。
【００１７】
インバータ回路２は、商用電源から電圧供給を受けている場合には、商用電源からの１００Ｖの交流電圧を一旦整流して直流電圧としこの直流電圧をスイッチング素子でスイッチングして蛍光ランプ１を高周波点灯させる回路である。
【００１８】
降圧整流回路３は、商用電源から電圧供給を受けている場合には、商用電源からの１００Ｖの交流電圧を降圧、整流する回路である。
【００１９】
定電圧制御回路４は、商用電源から電圧供給を受けている場合には、降圧整流回路３により降圧した電圧を定電圧に制御する回路である。
【００２０】
充電素子５Ａは、商用電源から供給された電圧による充放電を行う素子である。具体的には、充電素子５Ａは、商用電源から電圧供給を受けている場合には、定電圧制御回路４により制御された定電圧によって充電素子５Ａを充電させ、商用電源からの電圧供給が停止されている場合には、充電素子５Ａに蓄積した電気量を放電させる。なお、図１には、充電素子５Ａがコンデンサである場合の例が示されているが、充電素子５Ａはリチウムイオン２次電池であっても良い。また、充電素子５Ａの充電電圧は５Ｖ以上とする。
【００２１】
充放電切替部６は、商用電源から電圧供給を受けている場合に起電力が誘導されるコイル６Ａと、コイル６Ａに起電力が誘導されている場合に充電素子５Ａを商用電源側（充電側）に接続し、コイル６Ａに起電力が誘導されていない場合に充電素子５ＡをＬＥＤ８側（放電側）に接続するスイッチング素子６Ｂとを備える。すなわち、充放電切替部６は、商用電源から電圧供給を受けているか否かをコイル６Ａによって検知し、電圧供給を受けている場合には、スイッチング素子６Ｂによって充電素子５Ａを商用電源側に接続することで充電素子５Ａを充電させ、電圧供給が停止されている場合には、スイッチング素子６Ｂによって充電素子５ＡをＬＥＤ８側に接続することで充電素子５Ａを放電させる。
【００２２】
ＬＥＤ８は、商用電源からの電圧供給が停止されている場合には、充電素子５Ａの放電による電圧供給を受けて点灯する高輝度ＬＥＤである。
【００２３】
図２を参照すると、本実施形態による照明器具は、電球グローブ１０の内部に蛍光ランプ１を設けた電球形蛍光ランプの形状になっている。そして、蛍光ランプ１は、ＬＥＤ８を内蔵するとともに、反射ケース９内に設けられた降圧整流回路３、定電圧制御回路４、充電素子５Ａ、充放電切替部６等を内蔵している。このように、蛍光ランプ１に充電素子５Ａを内蔵することが可能となった理由としては、ＬＥＤの高効率化・長寿命化に伴い、充電素子５Ａの小型化が実現されたことが挙げられる。なお、本発明の照明器具は、電球形蛍光ランプ以外に丸型蛍光ランプなど電極を集中させている形状のランプとし、その口金部分に、充電素子５Ａ、充放電切替部６、ＬＥＤ８等を内蔵することも可能である。
【００２４】
以下、図１および図２に示した照明器具の動作について説明する。
【００２５】
蛍光ランプ１を点灯させる操作により商用電源から１００Ｖの交流電圧が供給されると、インバータ回路２が動作し、蛍光ランプ１が点灯する。同時に、充放電切替部６が充電素子５Ａを商用電源側に接続し、商用電源からの交流電圧が降圧整流回路３にて降圧、整流され、定電圧制御回路４にて一定電圧に制御され、その電圧によって充電素子５Ａが充電される。
【００２６】
一方、蛍光ランプ１を消灯させる操作によりもしくは災害発生などで商用電源からの交流電圧の供給が停止されると、インバータ回路２が停止し、それにより蛍光ランプ１が消灯する。同時に、充放電切替部６が充電素子５ＡをＬＥＤ８側に接続する。それにより、充電素子５Ａが放電し、ＬＥＤ８は、充電素子５Ａの放電による電圧供給を抵抗７を介して受けることで点灯する。なお、ＬＥＤ８は、充電素子５Ａにより供給される電圧が、ＬＥＤ８の端子部でＬＥＤ８の順方向動作電圧値に低下するまで点灯し続ける。
【００２７】
上述したように本実施形態においては、商用電源からの電圧供給を受けている場合には充電素子５Ａが自動的に充電され、商用電源からの電圧供給が停止されている場合には充電素子５Ａに充電された電気量を使用してＬＥＤ８を点灯させているため、電圧供給が停止した場合にもＬＥＤ８を非常灯または常夜灯として照明を維持することができる。
【００２８】
また、ＬＥＤ８を使用しているため、ＬＥＤ８用の充電素子５Ａとして小型化されたものを用いることができる。そのため、蛍光ランプ１の内側等に充電素子５Ａを内蔵することが可能となり、それにより、照明器具を変更することなく、ＬＥＤを非常灯または常夜灯として用いることができる。また、電球形蛍光ランプや丸型蛍光ランプの形状など、従来の照明器具と互換性のある形状とすることもできる。
【図面の簡単な説明】
【００２９】
【図１】本発明の一実施形態による照明器具の回路構成を示す図である。
【図２】本発明の一実施形態による照明器具の構造を示す図である。
【符号の説明】
【００３０】
１    蛍光ランプ
２    インバータ回路
３    降圧整流回路
４    定電圧制御回路
５Ａ    充電素子
５    充電部
６    充放電切替部
６Ａ    コイル
６Ｂ    スイッチング素子
７    抵抗
８    ＬＥＤ
【図１】
2006139988.tif 000003
【図２】
2006139988.tif 000004